(57)【要約】【課題】三角筒形状の立て看板について、多様な使用が可能であるとともに、製造コストを抑え、便利に使用できるようにする。【解決手段】表示面１２ａを有する自立する支持体１２と、表示面１２ａに着脱可能に取り付けられる表示シート１３を備えた立て看板１１において、支持体１２を、中間位置に折り曲げ線２３を有する板状の支持主体２１と、板状の支持従体２２で構成する。支持従体２２には、折り曲げ線２３において三角に折り曲げた支持主体２１の両側縁に支持従体２２の両側縁を着脱可能に連結する連結帯２８を備える。そして支持体１２は、折り曲げ線２３を立てた姿勢にした状態で、支持体１２の外周における３面の表示面１２ａと、支持体１２の下端の接地面１２ｂと、支持体１２内の中空空間１２ｃを有している。また、支持体１２の上端には天板部材１４を載置して、テーブルとしても使用できるようにする。【選択図】図１
2019184720.tif 000002
【特許請求の範囲】
【請求項１】
表示面を有する自立する支持体を備えた立て看板であって、
前記支持体が、中間位置に折り曲げ線を有する板状の支持主体と、板状の支持従体を備え、
前記支持主体又は前記支持従体の少なくとも一方に、前記折り曲げ線において三角に折り曲げた前記支持主体の両側縁に前記支持従体の両側縁を連結する着脱可能な連結手段が設けられ、
前記支持主体と前記支持従体を組み付けて前記折り曲げ線を立てた姿勢にした状態で、前記支持体の外周における３面の前記表示面と、前記支持体の下端の接地面と、前記支持体内の中空空間を有する
立て看板。
【請求項２】
前記支持体の上端に載置される天板部材を備える
請求項１に記載の立て看板。
【請求項３】
前記支持体がクッション性を有するものである
請求項１または請求項２に記載の立て看板。
【請求項４】
前記折り曲げ線の両側に、三角に折り曲げたときに互いに接合し合う傾斜面が形成された
請求項１から請求項３のうちいずれか一項に記載の立て看板。
【請求項５】
前記表示面に、互いに着脱可能に結合し合う結合手段の一方を備え、
前記結合手段の他方を、前記表示面に着脱可能に取り付けられる表示シートの裏面に備えた
請求項１から請求項４のうちいずれか一項に記載の立て看板。
【請求項６】
前記結合手段が面ファスナである
請求項５に記載の立て看板。
【発明の詳細な説明】
【技術分野】
【０００１】
この発明は、広告等を表示するための立て看板に関し、より詳しくは三角筒状をなす立て看板に関する。
【背景技術】
【０００２】
三角筒状の立て看板としては、下記特許文献１、２に開示されたようなものがある。
【０００３】
いずれの立て看板も、方形状の２枚の板状部を下方が開く側面視三角形状に変形できるように構成されている。特許文献１では板状部の開放端側に取り付けるシート状の支持従体で板状部の一定以上の開きを防止し、特許文献２では、コーンパッドが挿入される底袋で一定の開き角度に保持する構成であって、支持従体や底袋を下にした寝かせた姿勢で使用される。
【０００４】
このような構成の立て看板は、立て看板としての機能は十分であるが、一様な使い方しかできない。
【０００５】
この点、引用文献１には、３枚の板状部を折り曲げ可能に連結した一枚の支持体を柱状体に巻き付けて使用する例が開示されている。
【０００６】
しかし、３枚の板状部を折り曲げ可能に連結して一枚の支持体を製造することは作業性が良くなく、製造コストがかかるうえに、取扱いが面倒になることがあった。
【先行技術文献】
【特許文献】
【０００７】
【特許文献１】特許第６１８９２５５号公報
【特許文献２】実開平３−７２９２１号公報
【発明の概要】
【発明が解決しようとする課題】
【０００８】
この発明は、多様な使用が可能であるとともに、製造コストを抑え、便利に使用できるようにすることを主な目的とする。
【課題を解決するための手段】
【０００９】
そのための手段は、表示面を有する自立する支持体を備えた立て看板であって、前記支持体が、中間位置に折り曲げ線を有する板状の支持主体と、板状の支持従体を備え、前記支持主体又は前記支持従体の少なくとも一方に、前記折り曲げ線において三角に折り曲げた前記支持主体の両側縁に前記支持従体の両側縁を連結する着脱可能な連結手段が設けられ、前記支持主体と前記支持従体を組み付けて前記折り曲げ線を立てた姿勢にした状態で、前記支持体の外周における３面の前記表示面と、前記支持体の下端の接地面と、前記支持体内の中空空間を有する立て看板である。
【００１０】
この構成では、接地面で支えられる支持体の外周に存在する３つの表示面が、直接又は間接に、広告や注意喚起、場所表示などの所望の様々な表示を行う。支持体の中空空間は、ポールや柱などの柱状体や重錘などの存在を許容する。支持体を構成する支持主体は、折り曲げ線により折り曲げ可能であり、支持従体は支持主体とは別体であって、連結手段によって使用時に組み付けられ、非使用時には、それぞれ分離されてコンパクトな形態で管理される。
【発明の効果】
【００１１】
この発明によれば、立て看板は、いずれか一つの表示面を接地した寝かせた状態で使用できるのはもちろんのこと、前述の接地面を下にして立てた姿勢にして、単に立てたり、柱状体などに巻きつけたり、他の部材を組み合わせたりするなど多様な使用が可能である。また、支持主体が２つの表示面を有する支持主体と、１つの表示面を有する支持従体で構成されているので、支持体が３枚の板状部を折り曲げ可能に連結して一枚ものである場合と比べて、製造コストを抑えることができるとともに、便利に使用できる。
【図面の簡単な説明】
【００１２】
【図１】テーブルとしても使用される立て看板の斜視図。
【図２】図１の立て看板の分解斜視図。
【図３】支持主体の一部破断斜視図。
【図４】支持従体の一部破断斜視図。
【図５】支持体の組み立て態様を示す斜視図。
【図６】天板部材を裏面側から見た一部破断斜視図。
【図７】立て看板の他の使用状態を示す斜視図。
【図８】立て看板の固定態様を示す平面図。
【図９】立て看板の固定態様を示す斜視図。
【図１０】他の例に係る支持体の斜視図。
【発明を実施するための形態】
【００１３】
この発明を実施するための一形態を、以下図面を用いて説明する。
【００１４】
図１に、立て看板１１の一例を示す。この立て看板１１は、たとえばフードコートやイベント会場などで、テーブルや机、台などとしても好適に使用できるものであって、自立する支持体１２を備えている。支持体１２は三角筒状であり、外周における３面の表示面１２ａと、下端の接地面１２ｂと、内部の中空空間１２ｃを有している。
【００１５】
立て看板１１は、支持体１２に加えて、表示面１２ａに着脱可能に取り付けられる表示シート１３と、支持体１２の上端に載置される天板部材１４を備えている。
【００１６】
図２に、立て看板１１の分解状態を示す。この図に示すように、支持体１２は平面視正三角形枠状であり、表示面１２ａは方形に形成され、表示シート１３は表示面１２ａに対応する大きさのシート状である。また天板部材１４は、平面視正三角形の板状である。これら支持体１２と天板部材１４は、クッション性を有する材料で構成されている。
【００１７】
支持体１２は、支持主体２１と支持従体２２の２つの部材で構成される。支持主体２１は、図３に示したように、板状であり、中間位置に折り曲げ線２３を有している。図３は、支持主体２１を外周側、つまり表示面１２ａ側から見た斜視図であり、この図に示すように支持主体２１は所望の大きさの表示面１２ａを左右に並べた大きさの方形板状に形成されており、左右方向の中間位置、つまり表示面１２ａ間の位置に折り曲げ線２３が形成されている。
【００１８】
具体的には、支持主体２１は、表示面１２ａに対応する大きさで適宜厚の芯材２４と、芯材２４を被覆する被覆材２５からなる。芯材２４は、軽量で弾力性があり、外力を受けて変形すると元の形状に戻ろうとする可撓性を有する素材、例えばウレタン系、オレフィン系、ゴム系などの発泡体や、固綿などの繊維系クッションなどで構成される。被覆材２５は芯材２４に対応する六面を有する袋状であり、布帛や樹脂などの柔軟なシート材で構成されている。折り曲げ線２３部分は被覆材２５のみで構成される。
【００１９】
支持主体２１の内側面、つまり表示面１２ａと反対側の面における折り曲げ線２３の両側には、三角に折り曲げたときに互いに接合し合う傾斜面２６が形成されている。前述のように支持体１２は平面視正三角形枠状であるので、傾斜面２６は表示面１２ａに対して３０度程度の角度となる。折り曲げ線２３を挟むように一対の傾斜面２６が存在する構造であるので、支持主体２１は、傾斜面２６同士が接合する方向には一定の角度まで曲がるが、反対側に曲げた場合は、表示面１２ａ同士が面接触するまで曲がるので、二つ折りができる（図５の仮想線参照）。
【００２０】
支持主体２１の表示面１２ａには、互いに着脱可能に結合し合う結合手段としての面ファスナの一方２７を備えている。面ファスナの一方２７にはテープ状のものが使用され、表示面１２ａの全周を縁取るように固定されている。
【００２１】
支持従体２２は、図４に示したように、表示面１２ａに対応する大きさで適宜厚の芯材２４と、芯材２４を被覆する被覆材２５からなる。支持主体２１の場合と同様に、芯材２４は、軽量で弾力性があり、外力を受けて変形すると元の形状に戻ろうとする可撓性を有する素材で構成される。被覆材２５は芯材２４に対応する六面を有する袋状であり、布帛や樹脂などの柔軟なシート材で構成されている。
【００２２】
支持従体２２の表示面１２ａには、支持主体２１の場合と同様に、互いに着脱可能に結合し合う結合手段としての面ファスナの一方２７を備えている。面ファスナの一方２７にはテープ状のものが使用され、表示面１２ａの全周を縁取るように固定されている。
【００２３】
また、支持従体２２の左右方向の両側縁における上下両端部位には、支持従体２２の両側縁を、三角に折り曲げた支持主体２１の両側縁に連結する着脱可能な連結手段としての連結帯２８が形成されている。連結帯２８は短冊状に形成されており、表示面１２ａと同じ側の面には、前述した面ファスナの一方２７が備えられ、この面ファスナの一方２７の裏、つまり表示面１２ａに対応する面の反対側の面には、面ファスナの他方２９が備えられている。連結帯２８に備えられた面ファスナの他方２９は、支持主体２１の表示面１２ａにおける面ファスナの一方２７に係合する。つまり、支持主体２１の表示面１２ａにおける面ファスナの一方２７は、連結手段の一部を構成している。
【００２４】
連結帯２８は、支持従体２２の表示面１２ａの反対側の面に取り付けるとよいが、表示面１２ａ側の面、あるいは両面の間の位置に取り付けてもよい。
【００２５】
支持主体２１と支持従体２２の表示面１２ａに取り付けられる表示シート１３は、全体が柔軟な材料で形成されており、図１、図２に示したように、表面には適宜の必要な表示１３ａがプリント等の適宜の手段で形成されている。表示内容が変化を要するものである場合には、たとえば表示シート１３として、樹脂に磁粉を混ぜ込んで形成したマグネットシートや樹脂に鉄粉を混ぜ込んで形成したメタルシートを用いて、その表示シート１３に対して、必要な表示を有するカード上の別の表示シート（図示せず）を吸着可能にすることもできる。
【００２６】
そして表示シート１３の裏面における外周縁部には、支持主体２１と支持従体２２の表示面１２ａに備えた面ファスナの一方２７に係合する面ファスナの他方２９が縁取りするように固定されている（図２参照）。
【００２７】
面ファスナは、支持主体２１と支持従体２２の接地面１２ｂと反対側の上端面と、前述の天板部材１４にも備えられる。つまり、支持主体２１と支持従体２２の上端面の全面には、図２〜図５に示したように、面ファスナの一方３１が装着されている。
【００２８】
天板部材１４は、平面視正三角形状になる支持体１２の平面視形状に対応する大きさ、又はそれより大きい平面視正三角形の板状であって、裏面側から見た斜視図である図６に示したように、適宜厚の芯材４１と、芯材４１を被覆する被覆材４２からなる。天板部材１４も支持主体２１や支持従体２２と同様に、芯材４１は、軽量で弾力性があり、外力を受けて変形すると元の形状に戻ろうとする可撓性を有する素材で構成される。被覆材４２は芯材４１を収納可能な袋状であり、布帛や樹脂などの柔軟なシート材で構成されている。被覆材４２は防水性と防汚性を有する樹脂素材であるのが好ましい。また少なくとも被覆材４２の表面部分は、剛性を有する材料で構成するか、図６に仮想線で示したように剛性を有する板部材４３を内蔵するとよい。もちろん天板部材１４の全体が剛性を有するものであってもよい。
【００２９】
そして天板部材１４の裏面の外周縁には、支持主体２１と支持従体２２の上端面に設けられた前述の面ファスナの一方３１に着脱可能に結合する面ファスナの他方３２が固定されている。
【００３０】
以上のように構成された立て看板１１は、次のように使用される。
【００３１】
まず、図５に示したように支持主体２１を、表示面１２ａを外側にして三角形に折り曲げて、支持従体２２の両側縁を支持主体２１の両側縁に連結帯２８を用いて連結して、支持体１２を組み立てる。
【００３２】
つづいて、組み付けられた支持体１２の表示面１２ａに所望の表示シート１３を結合手段である面ファスナ（面ファスナの一方２７と面ファスナの他方２９）で結合する。表示面１２ａに対する表示シート１３の取り付けは、支持主体２１と支持従体２２を連結する前に行うこともできる。
【００３３】
また、支持主体２１の折り曲げ線２３を立てて接地面１２ｂを接地させた姿勢にして、支持体１２の上に天板部材１４を載せて、面ファスナ（面ファスナの一方３１と面ファスナの他方３２）を用いて結合する。
【００３４】
すると、立て看板１１は、３つの外側面の表示シート１３が表示１３ａの内容を訴求するなどの表示作用を行うとともに、天板部材１４が物品を載せることを可能にして、図１に例示したように飲食物を載せるテーブルなどとして使用できる。
【００３５】
支持体１２と天板部材１４は、軽量であるので運搬や設置が容易であり、簡素な構成であるので組み立て作業が容易である。
【００３６】
支持主体２１の折り曲げ線２３の両側には、傾斜面２６が形成されているので、特に注意を要さずに一定の角度に折り曲げることができる。このため、作業性良好である上に、一定の美感を得られる。
【００３７】
また、支持体１２を構成する支持主体２１は２つ折りできる構造であるので、製造が容易に行え、製造コストも抑えられる。
【００３８】
さらに、支持体１２と天板部材１４はクッション性を有しているので、人などが衝突したりする可能性のある場所で使用しても、安全に使用できる。
【００３９】
加えて、支持体１２の表示面１２ａには、着脱自在の表示シート１３を取り付ける構成であるので、必要に応じて表示内容を変更できて便利である。
【００４０】
図示は省略するが、前述のように支持主体２１の折り曲げ線２３を立てた姿勢で使用するほか、例えば支持従体２２を接地させた姿勢、つまり支持主体２１の折り曲げ線２３を水平に寝かせた姿勢で使用することもできる。前述のように持ち運びも容易であり、表示内容の変更も容易であることと相まって、様々な場所で多様な使用をすることができる。
【００４１】
たとえば、天板部材１４を載置せずに支持体１２のみで使用することもできる。この場合には、支持体１２の中空空間１２ｃに適宜の容器などを収容して、逆に言えば容器などを支持体１２で覆って使用することもできる。容器としては例えばごみ箱などであってもよい。この場合には、表示シート１３にごみの種別を表示して、ごみの分別を促すことができる。複数のごみ種別がある場合には、複数の支持体１２を、表示面１２ａを重ね合わせた状態で設置してもよい。
【００４２】
また、天板部材１４を用いない場合には、たとえば、図７に示したように運動競技施設の支柱や商業施設の柱などの柱状体５１に巻きつけるようにして使用することも可能である。
【００４３】
このようにして使用すると、立て看板１１の固定のための手段を省略できる上に、支持体１２のクッション性で競技者や子ども、老人など、人体の安全を得られるとともに、空間の演出などもできる。
【００４４】
以下、他の例について説明する。この説明において、前述の構成と同一の部位については同一の符号を付してその詳しい説明を省略する。
【００４５】
支持主体２１の折り曲げ線２３を立てた姿勢で使用する場合において、立て看板１１が風で不測に移動したりすることを積極的に防止するためには、例えば図８に示したように、支持主体２１の接地面１２ｂ側に一体のシート状をなす複数の接地片３５を備えて、接地片３５をペグ（図示せず）などで適宜固定したり、図８に仮想線で示したように重錘３６を載せて固定したりするとよい。
【００４６】
接地片３５をペグや重錘３６で固定する場合には、支持体１２の中空空間１２ｃの底部に対して作業を行う必要が生じるが、前述のように支持体１２は、二つ折りの支持主体２１と、支持主体２１とは完全に別部材の支持従体２２で構成されているとともに、支持主体２１の折り曲げ角度は傾斜面２６で規定されるので、はじめに設置位置に対して支持主体２１を固定してから、この支持主体２１に支持従体２２を連結すると、上から覗き込んだり腕を深く差し入れたりしなくても容易に設置ができるので、支持体が３枚の板状部を折り曲げ可能に連結して一枚ものである場合と比べて使い勝手が良い。
【００４７】
設置に際しては、例えば図９に示したような台部材３７を用いてもよい。この台部材３７は、平板状の基台３８の上面に支持体１２の内周面に嵌合する起立壁３９を備えた構成である。基台３８は適宜の重量を有する構成とし、起立壁３９は、支持体１２と台部材３７が相対変位しても容易には外れない高さに設定される。起立壁３９よりも外周側の上面と、支持体１２の接地面１２ｂとの間は、面ファスナなどの結合手段（図示せず）で着脱可能に結合してもよい。
【００４８】
表示面１２ａの形状や角度は、表示効果を考慮して適宜設定できる。例えば、図１０の（ａ）に示したように、支持体１２は末広がり状の形状であってもよい。末広がり状であるので、表示面１２ａは垂直面に対して傾斜しており、垂直である場合とは違って場所によっては見やすくできる。そのうえ、支持体１２の高さが高い場合でも安定性が良い。
【００４９】
また、図１０の（ｂ）は、表示面１２ａの正面視形状を正面視八角形状にした例である。この例のように、表示面１２ａの正面視形状を前述の方形状や図１０の（ａ）の等脚台形状とは異なり、表示内容に合わせるなどの目的で適宜の形状にすることができる。
【００５０】
以上のほか、例えば支持体１２は硬質の材料で構成されてもよく、また結合手段は磁力を用いるものやスナップなどであってもよい。
【００５１】
さらに、連結手段は、連結帯２８なしで、支持主体２１と支持従体２２の両側縁に備えた面ファスナのみで構成してもよく、支持従体２２又は支持主体２１の両側縁全体に備えてもよい。
【００５２】
表示面１２ａには、表示内容が直接備えられてもよい。
【００５３】
天板部材１４の裏面には、中空空間１２ｃの上部に嵌る部分を備えてもよい。
【００５４】
天板部材１４を備えない場合には、支持体１２の上端面の面ファスナの一方３１は省略してもよい。
【符号の説明】
【００５５】
１１…立て看板
１２…支持体
１２ａ…表示面
１２ｂ…接地面
１２ｃ…中空空間
１３…表示シート
１４…天板部材
２１…支持主体
２２…支持従体
２３…折り曲げ線
２６…傾斜面
２７…面ファスナの一方
２８…連結帯
２９…面ファスナの他方
【図１】
2019184720.tif 000003
【図２】
2019184720.tif 000004
【図３】
2019184720.tif 000005
【図４】
2019184720.tif 000006
【図５】
2019184720.tif 000007
【図６】
2019184720.tif 000008
【図７】
2019184720.tif 000009
【図８】
2019184720.tif 000010
【図９】
2019184720.tif 000011
【図１０】
2019184720.tif 000012